(57)【要約】【課題】本発明の目的は排土の処理が容易で、かつ、作業効率の優れた既設杭を撤去する工法を提供する。【解決手段】第２ケーシング２に回転力を付与することで、第２および第１ケーシング２，１を回転させながら、ドリル１２によって掘削される地盤に水を噴射すると共に掘削により生じた排土を泥水化して羽根板１１で撹拌しながら排出することで、既設杭３の外周囲を地盤から縁切りするために既設杭３のまわりを掘り進む第２掘進工程と、水を噴射せずにドリル１２によって掘削した排土を上方に排出することなく掘り進み第１ケーシング１の先端部分と既設杭３の先端部分との間に排土を詰めることで、既設杭３を第１ケーシング１に固定する。【選択図】図６
2012241329.tif 000002
【特許請求の範囲】
【請求項１】
地盤に打ち込まれている既設杭を撤去する工法であって、
前記杭の外径よりも大きい内径を持つ円筒体１０の内周面に径方向の内側に突出し排土を撹拌する羽根板１１および水を供給するパイプ４２を備えた第１および第２ケーシング１，２と、最下端の第１ケーシング１の下端に設けられ掘削するためのドリル１２とを用い、
前記ドリル１２を備えた第１ケーシング１に回転力を付与して前記第１ケーシング１を回転させながら、前記ドリル１２によって掘削される地盤に前記パイプ４２の先端から水を噴射すると共に前記掘削により生じた排土を泥水化して前記羽根板１１で撹拌しながら上方に排出することで、前記既設杭３の外周囲を地盤から縁切りするために前記既設杭３のまわりを掘り進む第１掘進工程と、
前記回転力がケーシングからケーシングに伝わるように、かつ、前記パイプ４２同士が互いに連なるように前記ケーシング同士を軸方向に互いに連結する連結工程と、
前記第２ケーシング２に回転力を付与することで、前記第２および第１ケーシング２，１を回転させながら、前記水を噴射せずに前記ドリル１２によって掘削される地盤に前記パイプ４２の先端から水を噴射すると共に前記掘削により生じた排土を泥水化して前記羽根板１１で撹拌しながら上方に排出することで、前記既設杭３の外周囲を地盤から縁切りするために前記既設杭３のまわりを掘り進む第２掘進工程と、
前記第２ケーシング２に回転力を付与することで、前記第２および第１ケーシング２，１を回転させながら、前記水を噴射せずに前記ドリル１２によって掘削した排土を上方に排出することなく掘り進み前記第１ケーシング１の先端部分と前記既設杭３の先端部分との間に前記排土を詰めることで、前記既設杭３の外周囲を地盤から縁切りすると共に、前記第１ケーシング１の中に前記既設杭３を固定する第３掘進工程と、
前記第３掘進工程の後に、前記第２および第１ケーシング２，１を持ち上げて、前記掘進により前記既設杭３の全長にわたって地盤から縁切りされた前記既設杭３を前記第１および第２ケーシング１，２と共に地上に持ち上げる持ち上げ工程とを備える。
【請求項２】
請求項１の工法において、前記パイプ４２の先端から前記既設杭３の下方に向かって圧力水を吐出して前記既設杭３の下端面３０と地盤との間に生じる水圧によって前記既設杭３の下端面３０を上方に向かって押しながら、前記持ち上げ工程を実行する。
【請求項３】
請求項２の工法において、前記持ち上げ工程の後に、前記最上端の第２ケーシング２を撤去して前記既設杭３を露出させる工程と、
前記露出した既設杭３の上端部を保持して吊り下げた状態で、かつ、前記撤去した第２ケーシング２の下方のケーシングを保持した状態で、前記２つの保持した部位の間において前記既設杭３の上部を切断して除去する工程を繰り返して既設杭３を切断撤去する。
【発明の詳細な説明】
【技術分野】
【０００１】
本発明は既設杭を撤去する工法に関するものである。
【背景技術】
【０００２】
建造物を取り壊して更地にする際に、建造物の基礎を構成する地盤に打ち込まれた既設杭を取り除く必要がある。そこで、従来より、前記杭に用いられた鉄筋入りのコンクリート製の杭を除去する工法が提案されている。（特許文献１参照）
【先行技術文献】
【特許文献】
【０００３】
【特許文献１】特公平６−２９５１９号（第４図）
【特許文献２】Ｕ３，１５６，２０９（図３）
【発明の概要】
【発明が解決しようとする課題】
【０００４】
しかし、前記特許文献１の方法では、排土の処理が難しく、そのため、掘削が困難となる場合がある。
【０００５】
一方、特許文献２では掘削用のバケツと切断用のバケツとを交互に用い、掘削と切断とを交互に行う工法を提案している。しかし、この従来工法では２種のバケツを取り換える手間が多くなり、作業効率が低下する。
【０００６】
したがって、本発明の目的は排土の処理が容易で、かつ、作業効率の優れた既設杭を撤去する工法を提供する。
【課題を解決するための手段】
【０００７】
前記目的を達成するために、地盤に打ち込まれている既設杭を撤去する工法であって、
前記杭の外径よりも大きい内径を持つ円筒体１０の内周面に径方向の内側に突出し排土を撹拌する羽根板１１および水を供給するパイプ４２を備えた第１および第２ケーシング１，２と、最下端の第１ケーシング１の下端に設けられ掘削するためのドリル１２とを用い、前記ドリル１２を備えた第１ケーシング１に回転力を付与して前記第１ケーシング１を回転させながら、前記ドリル１２によって掘削される地盤に前記パイプ４２の先端から水を噴射すると共に前記掘削により生じた排土を泥水化して前記羽根板１１で撹拌しながら上方に排出することで、前記既設杭３の外周囲を地盤から縁切りするために前記既設杭３のまわりを掘り進む第１掘進工程と、前記回転力がケーシングからケーシングに伝わるように、かつ、前記パイプ４２同士が互いに連なるように前記ケーシング同士を軸方向に互いに連結する連結工程と、前記第２ケーシング２に回転力を付与することで、前記第２および第１ケーシング２，１を回転させながら、前記水を噴射せずに前記ドリル１２によって掘削される地盤に前記パイプ４２の先端から水を噴射すると共に前記掘削により生じた排土を泥水化して前記羽根板１１で撹拌しながら上方に排出することで、前記既設杭３の外周囲を地盤から縁切りするために前記既設杭３のまわりを掘り進む第２掘進工程と、前記第２ケーシング２に回転力を付与することで、前記第２および第１ケーシング２，１を回転させながら、前記水を噴射せずに前記ドリル１２によって掘削した排土を上方に排出することなく掘り進み前記第１ケーシング１の先端部分と前記既設杭３の先端部分との間に前記排土を詰めることで、前記既設杭３の外周囲を地盤から縁切りすると共に、前記第１ケーシング１の中に前記既設杭３を固定する第３掘進工程と、前記第３掘進工程の後に、前記第２および第１ケーシング２，１を持ち上げて、前記掘進により前記既設杭３の全長にわたって地盤から縁切りされた前記既設杭３を前記第１および第２ケーシング１，２と共に地上に持ち上げる持ち上げ工程とを備える。
【０００８】
本発明の場合、ケーシング１，２を次々に連ねて掘削を行うので、ケーシング１，２を取り換える必要がない。
また、水を噴射し、ベントナイトを添加することにより排土が泥水となって昇り易くなる。
また、各ケーシング１，２に形成した羽根板１１によって前記泥水が撹拌されて上方に送られるので、排土により掘削の妨げられるおそれがない。
【図面の簡単な説明】
【０００９】
【図１】本発明の一実施例にかかる第１掘進工程を示す側面図である。
【図２】各ケーシングの縦断面図である。
【図３】第２掘進工程を示す側面図である。
【図４】各工程を示す側面図である。
【図５】各工程を示す側面図である。
【図６】第３掘進工程を示す側面図である。
【発明を実施するための形態】
【００１０】
本発明の好適な実施例においては、前記パイプ４２の先端から前記既設杭３の下方に向かって圧力水を吐出して前記既設杭３の下端面３０と地盤との間に生じる水圧によって前記既設杭３の下端面３０を上方に向かって押しながら、前記持ち上げ工程を実行する。
【００１１】
この場合、水圧が前記既設杭３の下端面３０に加わるので、前記既設杭３をケーシング１，２と共に持ち上げるのが容易になる。
【実施例】
【００１２】
以下、本発明にかかるボーリング装置５の一実施例を図面にしたがって説明する。
全体構成：
図１に示すように、ケーシングを回転させながら地中Ｓに押し込むためのボーリング装置５は、バンド５１、回転機構５２およびケーシングジャッキ５３を備えている。
【００１３】
ケーシング１，２：
図１〜図３に示すように、前記各ケーシング１，２は、円筒状に形成されており、第１ケーシング１の先端にはドリル１２が設けられている。図３に示す前記各ケーシング１，２が回転しながら地中Ｓを掘り進むと、パイプ状のケーシング１，２と既設杭３との間に掘削された土壌が入り込む。
なお、図３においては、ケーシング１，２の内部が見えるように杭３を仮想線で示している。
【００１４】
前記各ケーシング１，２には、水まじりの排土を撹拌して上方に排出するのに役立つ羽根板１１が、円筒体１０の内周面に１個ないし複数個設けられている。なお、各ケーシング１，２には回転機構５２の回転力を伝えるため孔５７が設けられている。該孔５７またはケーシング上端の開口から排土が排出される。
【００１５】
前記第１ケーシング１の上端部および図２の第２ケーシング２の上端部には小径な被嵌合部１３が設けられ、一方、各第２ケーシング２の下端部には前記被嵌合部１３に嵌り込む嵌合部１４が設けられている。前記被嵌合部１３に嵌合部１４を嵌合させ、両者をボルトで締結することにより、ケーシング１，２を次々に継ぎ足すことができる。図４Ｃのように各ケーシング１，２の上部が所定の位置に達すると、該ケーシング１，２の上部に図２の二点鎖線で示す延長用の第２ケーシング２が継ぎ足される。第２ケーシング２を次々に継ぎ足すことにより、地中深くボーリングを行う。
【００１６】
図１に示すように、前記ケーシングジャッキ５３は、地表に設置され、回転機構５２を保持している。
前記ケーシングジャッキ５３は、地表に設置されるフレーム５４と、該フレーム５４に固定されたジャッキ部５５とを備えている。ジャッキ部５５には、該ジャッキ部５５により上下動される昇降部５６が設けられている。
なお、本ボーリング装置５の詳細な構造はＵ３，１３５，２０４号の段落００１３〜００２３に開示されている。
【００１７】
掘進中において、最も上方のケーシングの上端部には、図１Ａに示す導水装置４が設置される。前記第１ケーシング１または第２ケーシング２の上端の軸心に設けられたスイベル式の継手４０と、前記継手４０から径方向の外方に水を導く第１導水路（パイプ）４１と、これの下方に延びる第２導水路（パイプ）４２とを介して前記水が掘削される地盤に噴射される。
なお、各パイプ４２は各ケーシング１，２ごとに互いにジョイントされる。
また、前記継手４０には水道圧または水圧ポンプで圧送される水が供給される。
【００１８】
つぎに、既設杭３の撤去方法について説明する。まず、図４Ａに示すように、撤去すべき既設杭３の上方の地表にボーリング装置５を設置する。ついで、図１Ｂに示すように、前記ボーリング装置５に第１ケーシング１を保持させる。この際、前記第１ケーシング１の上方には前記導水装置４を設置しておく。
【００１９】
図４Ｂおよび図１Ｂにおいて、第１ケーシング１にボーリング装置５により回転力を付与して前記第１ケーシング１を回転させながら、前記ドリル１２によって掘削される地盤に水を噴射すると共に前記掘削により生じ泥水化した排土を前記羽根板１１（図２）で撹拌して上方に旋回排出することで、前記既設杭３の外周囲を地盤から縁切りするために前記既設杭３のまわりを掘り進む第１掘進工程を実行する。
前記水の噴射と共に、好ましくは、前記ケーシング１（２）と杭３との間にベントナイトを添加する。これにより、泥水化した排土が上方に浮き上がり易くなる。
【００２０】
第１ケーシング１の上端の位置が所定の高さになると、前記第１ケーシング１から導水装置４を取り外す。その後、図４Ｃのように、第１ケーシング１の上端に第２ケーシング２の下端を連結する。
つまり、前記回転力がケーシングからケーシングに伝わるように、かつ、図２の前記互いに上下に隣接するパイプ４２同士が互いに連なるように前記ケーシング同士を軸方向に互いに連結する連結工程を実行する。この際、前記各パイプ４２同士が互いに連なるように、第１ケーシング１と第２ケーシング２とを周方向に位置決めして、パイプ４２同士を連結する。
【００２１】
その後、図４Ｄのように、前記第２ケーシング２に回転力を付与することで、前記第２および第１ケーシング２，１を回転させながら、前記ドリル１２によって掘削される地盤に水を噴射すると共に前記掘削により生じ泥水化した排土を前記羽根板１１（図２）で撹拌しながら上方に旋回排出することで、前記既設杭３の外周囲を地盤から縁切りするために前記既設杭３のまわりを掘り進む第２掘進工程を実行する。
【００２２】
その後、前記連結工程および第２掘進工程を繰り返すことで、前記既設杭３の先端部分を残した概ね全長にわたって既設杭３を地盤から縁切りさせる。
【００２３】
前記既設杭３を地盤から完全に縁切りする直前に、第３掘進工程を行う。
すなわち、図６に示すように、前記第３掘進工程においては、前記第２ケーシング２に回転力を付与することで、前記第２および第１ケーシング２，１を回転させながら、前記水を噴射せずに前記ドリル１２によって掘削した排土を上方に排出することなく掘り進み前記第１ケーシング１の先端部分と前記既設杭３の先端部分との間に前記排土Ｓ１を詰めることで、前記既設杭３の外周囲を地盤から縁切りすると共に、前記第１ケーシング１の中に前記既設杭３を固定する。前記排土により前記第１ケーシング１および前記既設杭３の先端部分に栓Ｓ１が形成される。
【００２４】
前記栓Ｓ１が形成された状態で、前記パイプ４２の先端から前記既設杭３の下方に向かって圧力水を吐出して前記既設杭３の下端面３０と地盤との間に生じる水圧によって前記既設杭３の下端面３０を押しながら、下記持ち上げ工程を実行する。
【００２５】
すなわち、図５Ａにおいて、前記第３掘進工程の後に、前記第２および第１ケーシング２，１を持ち上げて、前記掘進により前記既設杭３の全長にわたって地盤から縁切りされ前記既設杭３を前記第１および第２ケーシング１，２と共に図５Ｂのように地上に持ち上げる。
【００２６】
前記持ち上げ工程の後に、図５Ｃのように、前記最上端の第２ケーシング２を撤去して前記既設杭３を露出させる。その後、図５Ｃのように、既設杭３の上部にワイヤＷを掛け、かつ、前記ボーリング装置５により既設杭３を吊り下げた状態で保持する。こうして、前記露出した既設杭３の上端部を保持して吊り下げた状態で、かつ、前記撤去した第２ケーシング２の下のケーシングを保持した状態で、前記保持した部位の間において前記既設杭３の上部を矢印Ｃで示す部位で切断して除去する。その後、再び図５Ｄのように既設杭３をワイヤＷで吊り下げ前記保持と除去の工程を繰り返して既設杭３を切断撤去する。
【産業上の利用可能性】
【００２７】
本発明は既設杭を撤去する工法に用いることができる。
【符号の説明】
【００２８】
１：第１ケーシング
２：第２ケーシング
１０：円筒体
１１：羽根板 
１２：ドリル
１３：被嵌合部
１４：嵌合部
３：既設杭
３０：下端面
４：導水装置
４０：継手
４１：第１導水路（パイプ）
４２：第２導水路（パイプ）
５：ボーリング装置
５１：バンド
５２：回転機構
５３：ケーシングジャッキ
５４：フレーム
５５：ジャッキ部
５６：昇降部
５７：孔
Ｓ１：栓
【図１】
2012241329.tif 000003
【図２】
2012241329.tif 000004
【図３】
2012241329.tif 000005
【図４】
2012241329.tif 000006
【図５】
2012241329.tif 000007
【図６】
2012241329.tif 000008